(57)【要約】【課題】健康情報の各項目ごとに適切なセキュリティ情報を付与するとともにそのセキュリティ情報が持つセキュリティレベルごとに健康情報を振り分けて、健康情報の各項目が有するセキュリティレベルごとに分散させて設けられたデータベースへ送信して記憶させることによって、膨大な容量を持つ国民の健康情報をより低コストで確実に管理することのできる健康情報記憶システムを提供する。【解決手段】個人の健康状態を示す複数の項目にそれぞれ適切なセキュリティレベルを示すセキュリティ情報を付与するとともに、この項目をその項目に付与されたセキュリティ情報に基づいてセキュリティレベルごとに振り分ける振分装置２と、項目に付与されたセキュリティ情報が示すセキュリティレベルごとに設けられ、振分装置から送信された項目を受信し記憶する複数のデータベース３とを備える。【選択図】図１
2008176490.tif 000002
【特許請求の範囲】
【請求項１】
個人の健康状態を示す複数の項目にそれぞれ適切なセキュリティレベルを示すセキュリティ情報を付与するとともに、前記項目をその項目に付与されたセキュリティ情報に基づいてセキュリティレベルごとに振り分ける振分装置と、
前記項目に付与されたセキュリティ情報が示すセキュリティレベルごとに設けられ、前記振分装置から送信された前記項目を受信し記憶する複数のデータベースと、
を備えることを特徴とする健康情報記憶システム。
【請求項２】
前記健康情報を示す項目に関する情報は、前記個人が所持する記憶媒体に記憶されていることを特徴とする請求項１に記載の健康情報記憶システム。
【請求項３】
前記記憶媒体には、前記健康情報を示す項目を前記データベースに記憶させるか否かの判断基準となる情報も記憶されていることを特徴とする請求項１または請求項２に記載の健康情報記憶システム。
【請求項４】
前記振分装置は、前記記憶媒体から前記記憶媒体に記憶されている前記健康情報を示す項目に関する情報及び前記健康情報を示す項目を前記データベースに記憶させるか否かの判断基準となる情報を入手することを特徴とする請求項１ないし請求項３のいずれかに記載の健康情報記憶システム。
【請求項５】
前記振分装置は、前記セキュリティ情報を前記健康情報を示す項目に付与する前に、前記記憶媒体に記憶された複数の項目を読み取るか否かの判断を行う読取可否判断手段を備えることを特徴とする請求項１ないし請求項４のいずれかに記載の健康情報記憶システム。
【発明の詳細な説明】
【技術分野】
【０００１】
本発明は、個人の健康情報をその情報のセキュリティレベルに応じて記憶する健康情報記憶システムに関する。
【背景技術】
【０００２】
個人の身体にまつわる情報には様々なものがある。例えば、身長や体重のような身体的特徴を示す情報やその個人に対して行われた診療や手術等に関する医療情報である（以下、これらの情報をまとめて「健康情報」と表わす。）。これらの健康情報の中には、例えば、身長等のように第三者によって閲覧されてもよい情報もある一方、本人にとっては原則的に第三者に開示されたくない情報、例えば、遺伝子病情報等もあり、健康情報の内容によって保護が求められるレベルはまちまちである。
【０００３】
従って、第三者からの閲覧を制限するためのセキュリティレベルも情報ごとに相違し、セキュリティレベルに応じた閲覧制限に関しては、以下に示す特許文献１に開示されているような方法が既に明らかにされている。すなわち、特許文献１では、医用データにアクセスしようとする操作者と患者との関係に応じて医用データへのアクセス可否判定を実行する医用機器及び医用データアクセス制御方法が開示されている。
【０００４】
一方、世界的には医療情報の地域、国家レベルでのネットワーク化、情報共有のためのツールである電子医療記録システム（ＥＨＲ：Electronic Health Record）が進展している。このＥＨＲは、これまで各医療機関等で個別に管理されていた医療情報を地域、国家レベルで一元管理しようするものである。
【特許文献１】特開２００６−１４９６５９号公報
【発明の開示】
【発明が解決しようとする課題】
【０００５】
しかしながら、上記特許文献１に開示されている医用データへのアクセス制御方法を採用することにより、第三者によってみだりに医用データが閲覧されることは少なくなると思われるが、閲覧を行う都度、様々な情報の中から該当する情報を選び出して操作者と患者との関係をチェックしなければならず、煩雑である。特に上述したＥＨＲが日本において進展した場合には、その煩雑さは増すばかりである。
【０００６】
さらに、ＥＨＲが進展した場合には国民の膨大な健康情報が例えば国、地域等の単位でデータベースに記憶されることになるが、データベースの数が少ないと記憶される健康情報のデータ容量に比してデータベースのデータ容量が少ないといった弊害がある。また１つのデータベースに記憶されるデータ容量を減らすために複数のデータベースを設けたとしても、１つのデータベースの中に様々なセキュリティレベルを持つ健康情報が混在して記憶されることになる。
【０００７】
このように様々なセキュリティレベルを持つ健康情報が混在して１つのデータベースに記憶されていると、第三者による閲覧を制限するためには、そのデータベースのセキュリティレベルを最も高いセキュリティレベルを持つ健康情報に合わせて設定しなければならない。このような設定を行うと、セキュリティレベルの低い健康情報にアクセスすることが困難になったりアクセスが集中して健康情報の入出力に時間がかかり、データベースに過剰な負担をかける可能性がある。
【０００８】
また、最も高いセキュリティレベルに合わせてデータベースへのアクセス制限を行うことは実現コストや運用コストが高くなり実際的ではない。
【０００９】
本発明は上記課題を解決するためになされたものであり、本発明の目的は、健康情報の各項目ごとに適切なセキュリティ情報を付与するとともにそのセキュリティ情報が持つセキュリティレベルごとに健康情報を振り分けて、健康情報の各項目が有するセキュリティレベルごとに分散させて設けられたデータベースへ送信して記憶させることによって、膨大な容量を持つ国民の健康情報をより低コストで確実に管理することのできる健康情報記憶システムを提供することである。
【課題を解決するための手段】
【００１０】
本発明の実施の形態に係る特徴は、健康情報記憶システムにおいて、個人の健康状態を示す複数の項目にそれぞれ適切なセキュリティレベルを示すセキュリティ情報を付与するとともに、この項目をその項目に付与されたセキュリティ情報に基づいてセキュリティレベルごとに振り分ける振分装置と、項目に付与されたセキュリティ情報が示すセキュリティレベルごとに設けられ、振分装置から送信された項目を受信し記憶する複数のデータベースとを備える。
【発明の効果】
【００１１】
本発明によれば、健康情報の各項目ごとに適切なセキュリティ情報を付与するとともにそのセキュリティ情報が持つセキュリティレベルごとに健康情報を振り分けて、健康情報の各項目が有するセキュリティレベルごとに分散させて設けられたデータベースへ送信して記憶させることによって、膨大な容量を持つ国民の健康情報をより低コストで確実に管理することのできる健康情報記憶システムを提供することができる。
【発明を実施するための最良の形態】
【００１２】
以下、本発明の実施の形態について図面を参照して詳細に説明する。
【００１３】
図１は、本発明の実施の形態における健康情報記憶システム１の全体構成を示す構成図である。健康情報記憶システム１は、振分装置２と複数のデータベース３及びこれら振分装置２及びデータベース３とを接続するネットワーク４から構成される。図１では振分装置２ａないし２ｃまで３つの振分装置（以下、適宜まとめて「振分装置２」と表わす）を記載しているが、振分装置２は単数または複数のいずれであっても良い。また、図１では３つのデータベース３ａないし３ｃ（以下、適宜まとめて「データベース３」と表わす）を記載しているが、これらデータベース３は設定されたセキュリティレベルの数以上ネットワーク４に接続されていればその数は問わない。
【００１４】
振分装置２は、個人の健康情報として記憶されている項目を読み取ってその項目に適切なセキュリティ情報を付与するとともに、付与したセキュリティ情報に従ってそのセキュリティレベルごとに項目を振り分けてそれぞれのセキュリティレベルを持つデータベース３に送信する。
【００１５】
個人の身体的特徴や各病院や診療所等の医療機関において患者の診療等が行われた場合の診療結果は、これまでは例えば、カルテ等に記録されていた。本発明の実施の形態における健康情報記憶システムにおいては、これら個人の健康情報は例えば、電子カルテシステムを用いて記録されるが、好ましくは、図示しない記憶媒体に記憶される。
【００１６】
この記憶媒体は、例えば、健康情報登録カードといったものであり、ＩＣカード化された健康保険証に健康情報登録カードに記憶される情報が書き込まれている等健康保険証と一体、或いは健康保険証とは別体で個人（患者）に交付される。健康診断や診療が行われた場合等、この記憶媒体に記憶されている情報に変更があった場合には、必ず情報の更新が行われるようにされており、記憶媒体に記憶されている健康情報は常に最新の情報とされている。
【００１７】
図２は、この記憶媒体に記憶される個人の健康情報の例を示した表である。この表においては、最上段にこの記憶媒体を持つ個人の個人情報（例えば、性別、年齢、住所等）が示されている。また、この項目には複数の医療機関におけるその個人の情報、例えば、各病院における患者ＩＤや健康保険証の情報等を記憶させても良い。
【００１８】
健康情報としては、例えば「身長・体重」、「体脂肪率」、「嗜好（タバコ、アルコール他）」、「心臓病情報」、「癌情報」、「遺伝子病情報」が挙げられている。健康情報として記憶媒体に記憶する情報の種類は任意であり、図２に示す種類に限られない。
【００１９】
図２に示す健康情報の表は、便宜上「身長・体重」から「遺伝子病情報」に向けてセキュリティレベルが高くなるように項目が並べられている。すなわち、「身長・体重」よりも「遺伝子病情報」の方がより第三者に開示されたくない情報となる。これら健康情報のうちどの情報にどのセキュリティレベルを当てはめるかは任意に設定することが可能である。
【００２０】
また、健康情報の各項目の左側にはアスタリスクマーク「＊」が示されているが、このアスタリスクマークが示されている項目は、データベース３に記憶しても良い項目、すなわち、場合によっては第三者による閲覧も認める、とこの情報を有する個人が判断した情報項目である。図２に示す表に従っていえば、この表に示す健康情報を有する個人は、「遺伝子病情報」に関してはデータベース３のいずれにも記憶させることを拒否していることになる。そのため、この「遺伝子病情報」は、記憶媒体内にのみ記憶され、第三者は閲覧不可能な情報となる。このデータベース３への記憶の可否の選択は個人の意思によって行われる。
【００２１】
振分装置２は、この記憶媒体に記憶された健康情報を受信する。この記憶媒体を用いない場合には、健康情報を個別に振分装置２に入力することも可能である。
【００２２】
図３に示すように、振分装置２は、受信手段２１と、読取可否判断手段２２と、セキュリティ情報判定・付与手段２３と、セキュリティ情報データベース２４と、振分手段２５と、送信手段２６とから構成される。
【００２３】
受信手段２１は、記憶媒体から、或いは記憶媒体を用いない場合は図示しない入力手段を介して入力された健康情報を受信する。読取可否判断手段２２は、受信した各項目内の健康情報を読み取るとともに、健康情報の各項目に付されているデータベース３への記憶の可否情報を基に受信した健康情報を読み取るか否かを判断する。データベース３への記憶を拒否している項目については、読取可否判断手段２２において読み取らず、上述したように記憶媒体内にのみ記憶されている情報となり、ネットワーク４を介してデータベース３へは送信されない。
【００２４】
セキュリティ情報判定・付与手段２３は、読取可否判断手段２２において読み取られた健康情報の各項目ごとに適切なセキュリティ情報を付与する。どの項目がどのセキュリティレベルを付与されているかは予め決められてセキュリティ情報データベース２４内に記憶されている。そこで、セキュリティ情報判定・付与手段２３がセキュリティ情報データベース２４にアクセスすることで各項目にセキュリティ情報を付与する。例えば、図２に示す表に挙げられた項目に基づいて説明すると、「身長・体重」の項目に関してはセキュリティレベル「１」、「体脂肪率」、「嗜好（タバコ、アルコール他）」のセキュリティレベルは「２」、「心臓病情報」、「癌情報」のセキュリティレベルは「３」、「遺伝子病情報」のセキュリティレベルは「４」とそれぞれのセキュリティ情報が付与される。なお、本発明の実施の形態においては、セキュリティレベルは「１」から「４」に向かってそのレベルが高くなるように設定されている。
【００２５】
振分手段２５は、セキュリティ情報判定・付与手段によって健康情報の各項目に付されたセキュリティ情報を読み取って同じセキュリティレベルのセキュリティ情報を持つ項目ごとにこれら各項目を振り分ける。振り分けられた各項目の情報は送信手段２６からネットワーク４を介して複数設けられている各データベース３に送信される。
【００２６】
データベース３は、セキュリティレベルごとに複数設けられている。例えば、上述したセキュリティレベルが「１」から「４」まである場合には、最低限各セキュリティレベルごとに１つずつ合計４つ設けられている。従って、振分手段２５によって各セキュリティレベルごとに振り分けられた健康情報は、それぞれのセキュリティレベルを持つデータベース３に送信され記憶される。なお、各セキュリティレベルごとに複数のデータベース３を設けていても良い。
【００２７】
また、これらデータベース３は、本発明の実施の形態にかかる健康情報記憶システム１を、例えばＥＨＲに適用する場合には、各セキュリティレベルとリンクさせて各医療機関、各市町村、各都道府県、国といった地域的な枠組みの中にそれぞれ設けるようにされても良い。すなわち、セキュリティレベル１の健康情報に関しては各医療機関に設けられているデータベース３に、セキュリティレベル２の健康情報に関しては各市町村に設けられているデータベース３に、セキュリティレベル３の健康情報に関しては各都道府県に設置されているデータベース３に、セキュリティレベルが最も高い４の健康情報に関しては国或いは国が所管する専門機関に設けられているデータベース３に、それぞれ記憶されるように設定する。
【００２８】
これら複数のデータベース３に記憶された個人の健康情報を閲覧する場合には、そのセキュリティレベルに合わせて必要とされるセキュリティ対策に応じた認証を受けなければ閲覧することができない。例えば、図４に示す表は、各セキュリティレベルごとに設定されたセキュリティ対策と該当する健康情報の項目を一覧にしたものである。この表によれば、セキュリティレベルが上がるに従って、「パスワード認証」から「指紋認証」、「アクセス権限があることを証明するＩＤカードによる認証」、「ＩＤカードによる認証及び暗号化された通信」というように講じられるセキュリティ対策が厳重になっていく。特にＥＨＲの場合には、セキュリティレベルが上がるに従って、各医療機関、各市町村、各都道府県、国というように健康情報を管理する機関が地域的にも異なることになるため、セキュリティ対策も重要になる。
【００２９】
このように健康情報の各項目ごとに適切なセキュリティ情報を付与するとともにそのセキュリティ情報が持つセキュリティレベルごとに健康情報を振り分けて、健康情報の各項目が有するセキュリティレベルごとに分散させて設けられたデータベースへ送信して記憶させることによって、膨大な容量を持つ国民の健康情報をより低コストで確実に管理することのできる健康情報記憶システムを提供することができる。この健康情報記憶システムを用いることにより、健康情報を利用することで、例えば、疫病研究、統計情報作成をより簡易に行うことができ、或いは、適切最良の情報に基づいて個人に適した診療を行う（ＥＢＭ：Evidence Based Medicine）ことにもつながる。
【００３０】
なお、この発明は、上記実施の形態そのままに限定されるものではなく、実施段階ではその要旨を逸脱しない範囲で構成要素を変形して具体化できる。例えば、本人が自己の健康情報にアクセスする場合であっても、本来ならば自ら全ての健康情報を閲覧できるところ、一部閲覧不可とする等、アクセス制限を行う機能をデータベースに設けても良い。例えば、治療方針や病名等、閲覧者に開示することが必ずしも適切ではない情報も存在するからである。
【００３１】
さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００３２】
【図１】本発明の実施の形態における健康情報記憶システムの全体構成を示す構成図である。
【図２】記憶媒体に記憶される個人の健康情報の例を示した表である。
【図３】振分装置２の内部構成を示すブロック図である。
【図４】各セキュリティレベルごとに設定されたセキュリティ対策と該当する健康情報の項目の一覧表である。
【符号の説明】
【００３３】
１    健康情報記憶システム
２    振分装置
３    データベース
４    ネットワーク
【図１】
2008176490.tif 000003
【図２】
2008176490.tif 000004
【図３】
2008176490.tif 000005
【図４】
2008176490.tif 000006